(57)【要約】      （修正有）【課題】背上げベッドに用いられるマットレス用カバーにおいて、利用者の上半身に作用しようする力と下半身に作用しようとする力とを個別に独立して軽減する。【解決手段】マットレス用カバー１は、所定の回動軸回りに回動して利用者の上半身を起こす可動部を有する背上げベッドに用いられるマットレス上面全体に亘って敷設されるカバー本体２と、カバー本体２上の、前記回動軸の上方に配設される屈曲位置よりも前記利用者の頭頂側に取り付けられ、裏地３３が滑ることによって前記利用者側の部分が前記屈曲位置に近接離間する方向に滑って変位する帯状の第１滑沢性シート３と、カバー本体２上の、前記屈曲位置よりも前記利用者の足元側に取り付けられ、裏地４３が滑ることによって前記利用者側の部分が前記屈曲位置に近接離間する方向に滑って変位する帯状の第２滑沢性シート４と、を備える。【選択図】図１
2016154734.tif 000002
【特許請求の範囲】
【請求項１】
所定の回動軸回りに回動して利用者の上半身を起こす可動部を有するベッドに用いられるマットレスのカバーであって、
前記マットレス上面の少なくとも前記利用者が横たわる範囲全体に亘って敷設され、前記可動部の回動に応じて所定の屈曲位置で屈曲するカバー本体と、
前記カバー本体上における前記屈曲位置よりも前記利用者の頭頂側に取り付けられ、少なくとも前記利用者側の部分が前記屈曲位置に近接離間する方向に滑って変位する帯状の第１滑沢性シートと、
前記カバー本体上の、前記屈曲位置よりも前記利用者の足元側に取り付けられ、少なくとも前記利用者側の部分が前記屈曲位置に近接離間する方向に滑って変位する帯状の第２滑沢性シートと、
を備えたことを特徴とするマットレス用カバー。
【請求項２】
前記第１滑沢性シート及び前記第２滑沢性シートは、それぞれ、前記回動軸と平行な直線を一周する閉じた環状に構成されたことを特徴とする請求項１に記載のマットレス用カバー。
【請求項３】
前記第１滑沢性シートは、前記屈曲位置からの距離が異なる第１取付位置と第２取付位置とで前記カバー本体に取り付けられ、
前記距離の差は、前記第１滑沢性シートの前記環に係る周方向長さの半分未満であり、
前記第１取付位置と前記第２取付位置との間で前記カバー本体と接するように配設される前記第１滑沢性シートの周方向長さも、前記環に係る周方向長さの半分未満であることを特徴とする請求項２に記載のマットレス用カバー。
【請求項４】
前記第２滑沢性シートは、前記マットレスの足元側端部上に配設される第３取付位置で前記カバー本体に取り付けられたことを特徴とする請求項２又は３に記載のマットレス用カバー。
【請求項５】
前記第１滑沢性シート及び前記第２滑沢性シートによって構成される前記環の内面同士の摩擦係数は、前記環の周方向に比べて当該周方向に直交する方向の方が大きいことを特徴とする請求項２〜４のいずれか１項に記載のマットレス用カバー。
【請求項６】
前記第１滑沢性シートの前記回動軸に沿った方向の長さは、前記カバー本体の当該方向の長さよりも小さいことを特徴とする請求項１〜５のいずれか１項に記載のマットレス用カバー。
【請求項７】
前記カバー本体上の、前記第１滑沢性シートが配設される位置と前記第２滑沢性シートが配設される位置との間に設けられ、前記利用者又は当該利用者の衣服との摩擦係数が前記カバー本体より小さい第３滑沢性シートを、
更に備えたことを特徴とする請求項１〜６のいずれか１項に記載のマットレス用カバー。
【請求項８】
前記第３滑沢性シートと前記利用者又は当該利用者の衣服との摩擦係数は、前記回動軸に沿った方向に比べて前記屈曲位置に近接離間する方向の方が大きいことを特徴とする請求項７に記載のマットレス用カバー。
【発明の詳細な説明】
【技術分野】
【０００１】
本発明は、所定の回動軸回りに回動して利用者の上半身を起こす可動部を有するベッドに用いられるマットレスの、少なくとも上面（すなわち利用者が横たわる面）を覆うマットレス用カバーに関する。
【背景技術】
【０００２】
従来、利用者（例えば療養者）が食事をする場合などに上半身を起こすのを支援するために、所定の回動軸回りに回動して利用者の上半身を起こす可動部を有するベッド（以下、背上げベッドともいう）が使用される場合がある。この種のベッドでは、可動部は利用者の股関節の下方に配設される回動軸を中心に回動するので、可動部が回動して利用者の上半身を起こす際に、利用者には、上半身を下半身方向に圧迫する力が作用する。また、可動部が逆方向に回動して前記上半身を倒す際には、利用者には、上半身を頭頂部方向に引張する力が作用する。そこで、背上げベッドに用いられるマットレスの、少なくとも上面を覆うマットレス用カバーにおいて、その上面に滑沢性シートを設けることが提案されている（例えば、特許文献１参照。）。
【先行技術文献】
【特許文献】
【０００３】
【特許文献１】特許３４８２０６７号公報
【発明の概要】
【発明が解決しようとする課題】
【０００４】
特許文献１には、滑沢性シートを配設する構成として、次の２種類の構成が開示されている。１つの構成は、２つ折りにした帯状の滑沢性シートの両端を揃えて、カバー本体における利用者の頭頂側端部に取り付けた構成である。なお、本明細書において、カバー本体とは、少なくとも利用者が横たわる範囲全体に亘ってマットレス上に敷設される部分を指す。特許文献１に記載のもう１つの構成は、カバー本体の上面全体に亘って２枚の帯状の滑沢性シートを敷設し、各滑沢性シートの両端を、カバー本体における利用者の頭頂側端部と足元側端部とに取り付けた構成である。
【０００５】
ところが、前者の構成では、利用者の下半身はカバー本体と直接接するので、可動部の動作に応じて下半身に力が作用しようとした場合には、その力が軽減されることなく利用者に加わる可能性がある。一方、後者の構成では、利用者の上半身及び下半身とカバー本体との間に共通の滑沢性シートが配設されるので、利用者の上半身と下半身とに方向の異なる力が作用しようとした場合には、その力が十分に軽減されることなく利用者に加わる可能性がある。
【０００６】
本発明は、こうした問題に鑑みてなされたものであり、背上げベッドに用いられるマットレス用カバーにおいて、利用者の上半身に作用しようする力と下半身に作用しようとする力とを個別に独立して軽減可能とすることを目的としている。
【課題を解決するための手段】
【０００７】
本発明のマットレス用カバーは、所定の回動軸回りに回動して利用者の上半身を起こす可動部を有するベッドに用いられるマットレスのカバーであって、前記マットレス上面の少なくとも前記利用者が横たわる範囲全体に亘って敷設され、前記可動部の回動に応じて所定の屈曲位置で屈曲するカバー本体と、前記カバー本体上における前記屈曲位置よりも前記利用者の頭頂側に取り付けられ、少なくとも前記利用者側の部分が前記屈曲位置に近接離間する方向に滑って変位する帯状の第１滑沢性シートと、前記カバー本体上の、前記屈曲位置よりも前記利用者の足元側に取り付けられ、少なくとも前記利用者側の部分が前記屈曲位置に近接離間する方向に滑って変位する帯状の第２滑沢性シートと、を備える。
【０００８】
この場合、カバー本体は、少なくとも利用者が横たわる範囲全体に亘ってマットレス上面に敷設される。そして、そのカバー本体上の、可動部の回動に応じて屈曲する屈曲位置よりも利用者の頭頂側には、帯状の第１滑沢性シートが取り付けられている。この第１滑沢性シートは、少なくとも利用者側の部分が前記屈曲位置に近接離間する方向に滑って変位する。このため、可動部の前記回動軸回りの動作に応じて利用者の上半身に力が作用しようとした場合に、第１滑沢性シートの利用者側の部分が利用者の頭頂方向又は下半身方向に滑って変位することによって、その力を軽減することができる。
【０００９】
カバー本体上の、前記屈曲位置よりも利用者の足元側には、帯状の第２滑沢性シートが取り付けられている。この第２滑沢性シートは、少なくとも前記利用者側の部分が前記屈曲位置に近接離間する方向に滑って変位する。このため、可動部の動作に応じて利用者の下半身に力が作用しようとした場合に、第２滑沢性シートの利用者側の部分が利用者の足元方向又は上半身方向に滑って変位することによって、その力を軽減することができる。
【００１０】
このような動作をする第１滑沢性シートと第２滑沢性シートとは、屈曲位置を挟んで互いに独立している。このため、本発明のマットレス用カバーでは、利用者の上半身に作用しようする力と下半身に作用しようとする力とを個別に独立して軽減することができる。
【００１１】
なお、前記第１滑沢性シート及び前記第２滑沢性シートは、それぞれ、前記回動軸と平行な直線を一周する閉じた環状に構成されてもよい。その場合、カバー本体と利用者との間には、環状に構成された第１滑沢性シート及び第２滑沢性シートが、それぞれ内面同士を接触させた状態で配設される。第１滑沢性シートが構成する環の内面同士が互いに接触して滑ることによって、第１滑沢性シートの利用者側の部分（すなわち、内面同士を当接させて上下に積層された第１滑沢性シートの上側部分）が滑って変位する。また、第２滑沢性シートが構成する環の内面同士が互いに接触して滑ることによって、第２滑沢性シートの利用者側の部分（すなわち、内面同士を当接させて上下に積層された第２滑沢性シートの上側部分）が滑って変位する。このため、第１滑沢性シート及び第２滑沢性シートの利用者側の部分は、前記屈曲位置に近接離間する方向に一層円滑に滑ることができ、利用者の上半身に作用しようする力と下半身に作用しようとする力とを一層良好に軽減することができる。
【００１２】
そして、その場合、前記第１滑沢性シートは、前記屈曲位置からの距離が異なる第１取付位置と第２取付位置とで前記カバー本体に取り付けられ、前記距離の差は、前記第１滑沢性シートの前記環に係る周方向長さの半分未満であり、前記第１取付位置と前記第２取付位置との間で前記カバー本体と接するように配設される前記第１滑沢性シートの周方向長さも、前記環に係る周方向長さの半分未満であってもよい。
【００１３】
この場合、第１滑沢性シートは、第１取付位置と第２取付位置とでカバー本体に取り付けられる。第１取付位置と第２取付位置とは、前記屈曲位置からの距離が異なり、かつ、その距離の差が第１滑沢性シートの前記環に係る周方向長さの半分未満である。また、当該第１取付位置と第２取付位置との間でカバー本体と接するように配設される第１滑沢性シートの周方向長さも、前記環に係る周方向長さの半分未満である。このため、第１滑沢性シートは、第１取付位置と第２取付位置との間で利用者側に弛みを有し、その弛み部分が前述のように滑る。このため、第１滑沢性シートの利用者側の部分は一層円滑に滑ることができ、利用者の上半身に作用しようする力を一層良好に軽減することができる。
【００１４】
さらに、この場合、第１滑沢性シートは、屈曲位置からの距離（すなわち利用者の身長方向の位置）が異なる第１取付位置及び第２取付位置でカバー本体に取り付けられる。このため、可動部が回動して利用者の上半身を起こす際に、第１滑沢性シートが前記回動軸に沿った方向（すなわち、仰向けに寝た利用者から見て左右方向）にずれるのが抑制される。従って、可動部が回動して利用者の上半身を起こす際に、利用者の上半身が左右方向にずれるのを抑制することができ、その結果、利用者の姿勢が崩れるのを抑制することができる。
【００１５】
また、前記第２滑沢性シートは、前記マットレスの足元側端部上に配設される第３取付位置で前記カバー本体に取り付けられてもよい。その場合、脚を動かすことのできる利用者は、第２滑沢性シートを跳ね上げたり第２滑沢性シートの下に脚を挿入したりして、カバー本体に脚を直接当接させることが可能となる。その場合、利用者は、自身の脚の力で、体を動かしたり踏ん張ったりすることが容易になる。
【００１６】
また、前記第１滑沢性シート及び前記第２滑沢性シートによって構成される前記環の内面同士の摩擦係数は、前記環の周方向に比べて当該周方向に直交する方向の方が大きくてもよい。その場合、第１滑沢性シート及び第２滑沢性シートの前記内面同士の摩擦係数は、前記周方向の摩擦係数が比較的小さいので、当該滑沢性シートの利用者側の部分は前記屈曲位置に近接離間する方向に一層良好に滑る。このため、可動部の前記回動軸回りの動作に応じて利用者の上半身又は下半身に前記屈曲位置に近接離間する方向の力が作用しようとした場合に、第１滑沢性シート又は第２滑沢性シートの利用者側の部分が一層良好に滑り、その力を一層良好に軽減することができる。一方、第１滑沢性シート及び第２滑沢性シートの前記内面同士の摩擦係数は、前記周方向に直交する方向の摩擦係数が比較的大きいので、当該滑沢性シートの利用者側の部分は前記回動軸に沿った方向には比較的滑りにくい。このため、可動部が回動して利用者の上半身を起こす際に、第１滑沢性シート及び第２滑沢性シートが前記回動軸に沿った方向（すなわち、仰向けに寝た利用者から見て左右方向）にずれるのが抑制される。従って、可動部が回動して利用者の上半身を起こす際に、利用者の上半身又は下半身が左右方向にずれるのを抑制することができ、その結果、利用者の姿勢が崩れるのを抑制することができる。
【００１７】
また、本発明において、前記第１滑沢性シートの前記回動軸に沿った方向の長さは、前記カバー本体の当該方向の長さよりも小さくてもよい。その場合、可動部が回動して利用者の上半身を起こす際に、利用者の上半身が、前記回動軸に沿った方向（すなわち、仰向けに寝た利用者から見て左右方向）にずれると、当該上半身がカバー本体に当接する。すると、カバー本体と利用者の上半身との摩擦抵抗により、利用者の上半身が左右方向にずれるのが抑制される。従って、可動部が回動して利用者の上半身を起こす際に、利用者の上半身が左右方向にずれるのを抑制することができ、その結果、利用者の姿勢が崩れるのを抑制することができる。
【００１８】
また、本発明において、前記カバー本体上の、前記第１滑沢性シートが配設される位置と前記第２滑沢性シートが配設される位置との間に設けられ、前記利用者又は当該利用者の衣服との摩擦係数が前記カバー本体より小さい第３滑沢性シートを、更に備えてもよい。その場合、利用者の臀部又は腰部が、摩擦係数の小さい第３滑沢性シートの上に載るので、次のような効果が生じる。介護者等が利用者の臀部又は腰部を、前記回動軸に沿った方向（すなわち、仰向けに寝た利用者から見て左右方向）にずらすのが容易となる。また、利用者が臀部又は腰部を移動させやすくなるので床ずれも抑制することができる。
【００１９】
そして、その場合、前記第３滑沢性シートと前記利用者又は当該利用者の衣服との摩擦係数は、前記回動軸に沿った方向に比べて前記屈曲位置に近接離間する方向の方が大きくてもよい。その場合、第３滑沢性シートの上に乗せられた臀部又は腰部は、前記回動軸に沿った方向の移動に比べて、前記屈曲位置に近接離間する方向の移動が抑制される。可動部が回動して利用者の上半身を起こしたときに、臀部及び腰部が前記近接離間する方向に移動すると、利用者の姿勢が崩れる場合があるが、このように当該方向の移動が抑制されると、利用者の姿勢が崩れるのを抑制することができる。
【図面の簡単な説明】
【００２０】
【図１】第１実施形態のマットレス用カバーの構成を表す斜視図である。
【図２】そのカバーの構成を概略的に表す図で、（Ａ）は平面図、（Ｂ）はＩＩＢ−ＩＩＢ線分解断面図である。
【図３】前記カバーのマットレスへの装着状態を表す説明図である。
【図４】そのカバー及びマットレスの使用状態を表す説明図である。
【図５】そのカバーが解決しようとする課題を表す説明図である。
【図６】そのカバーの効果を表す説明図である。
【図７】第２実施形態のマットレス用カバーの構成を表す斜視図である。
【図８】そのカバーが装着されるマットレスの構成を表す斜視図である。
【図９】そのカバーの前記マットレスへの装着部の構成を詳細に表す斜視図である。
【図１０】そのカバー及びマットレスの使用状態を表す説明図である。
【図１１】第１実施形態のマットレス用カバーの変形例の構成を概略的に表す図で、（Ａ）は平面図、（Ｂ）はＸＩＢ−ＸＩＢ線分解断面図である。
【発明を実施するための形態】
【００２１】
［第１実施形態の構成］
次に、本発明が適用された実施形態を、図面と共に説明する。図１は、本発明が適用された第１実施形態のマットレス用カバー１の構成を表す斜視図である。なお、以下の説明において、マットレス用カバー１に仰向けに横たわる利用者９０（図４参照）から見て左右方向を左右とし、当該利用者９０の足元方向を後として説明する場合がある。但し、これらの方向は、各部の相対的な位置関係を簡潔に説明するために規定した方向にすぎない。実際にマットレス用カバー１を利用するに当たって、当該マットレス用カバー１及びそれを利用した背上げベッド６０（図４参照）がどのような方向に向けられるかは任意である。
【００２２】
図１に示すように、本実施形態のマットレス用カバー１は、長方形のシート状に構成されたカバー本体２と、そのカバー本体２に取り付けられた第１滑沢性シート３及び第２滑沢性シート４及び第３滑沢性シート５とを備えている。カバー本体２は、ポリエステル製のシーチング生地からなるシートによって構成されている。カバー本体２の長手方向（すなわち前後方向）両端には、マットレス５０（図３参照）と対向する側（以下、下側ともいう）に、当該マットレス５０の長手方向両端部に嵌合する袋２１，２２が形成されている。
【００２３】
図２（Ａ）はマットレス用カバー１の構成を概略的に表す平面図で、図２（Ｂ）は、図２（Ａ）のＩＩＢ−ＩＩＢ線断面に係る概略的な分解図である。図１及び図２に示すように、第１滑沢性シート３は、カバー本体２と同様の生地からなる表地３１の内側に綿又はポリエステル製の朱子織り（繻子織り又はサテン織りともいう）生地からなる裏地３３を縫い付けた帯状に構成されている。第２滑沢性シート４も、カバー本体２と同様の生地からなる表地４１の内側に綿又はポリエステル製の朱子織り生地からなる裏地４３を縫い付けた帯状に構成されている。なお、図２（Ｂ）では、第１滑沢性シート３及び第２滑沢性シート４を、それぞれ一体のシートとして図示している。
【００２４】
第１滑沢性シート３は、裏地３３を内側にして２つ折りにされ、長手方向両端を揃えて当該両端が第１縫い目３５（第１取付位置の一例）によりカバー本体２の前端部に縫い付けられている。第２滑沢性シート４は、裏地４３を内側にして２つ折りにされ、長手方向両端を揃えて当該両端が第３縫い目４５（第３取付位置の一例）によりカバー本体２の後端部に縫い付けられている。なお、第１縫い目３５及び第３縫い目４５は、いずれも左右方向に延びる縫い目である。これにより、第１滑沢性シート３及び第２滑沢性シート４は、左右方向に延びる直線を一周する閉じた環状に構成される。
【００２５】
図２（Ａ）に示す白抜きの矢印Ａ〜Ｆは、裏地３３，４３及び第３滑沢性シート５の滑りやすさを、当該矢印の大きさで示している。裏地３３，４３は、カバー本体２よりも滑りやすい（すなわち摩擦係数が小さい）生地である。また、裏地３３，４３は、図２（Ａ）に示すように、矢印Ｂ，Ｆに示す左右方向に比べて、矢印Ａ，Ｅに示す前後方向（周方向）の方が摩擦係数が小さく、一層滑りやすいように構成されている。
【００２６】
第１滑沢性シート３は、さらに、前記２つ折りにされたうちのカバー本体２側の部分が、当該部分の前後方向中間部で、左右方向に延びる第２縫い目３７（第２取付位置の一例）によりカバー本体２に縫い付けられている。また、第１逢い目３５と第２逢い目３７との間で、カバー本体２とそれに接する第１滑沢性シート３とは、前後方向に同じ長さを有する。このため、第１滑沢性シート３は、第１縫い目３５と第２縫い目３７との間で、利用者９０側に弛みを有する。第１滑沢性シート３は、裏地３３の内面同士が互いに接触して滑ることによって、前記弛みの部分が前後方向に円滑に滑る。また、第２滑沢性シート４も、裏地４３の内面同士が互いに接触して滑ることによって、利用者９０側の部分が前後方向に円滑に滑る。なお、第１滑沢性シート３及び第２滑沢性シート４は、カバー本体２の左右方向中心に配設され、その左右方向の長さは、カバー本体２の左右方向の長さ（８０ｃｍ〜１１０ｃｍ）よりも小さく５５ｃｍ〜６５ｃｍとされている。
【００２７】
第１滑沢性シート３及び第２滑沢性シート４は、互いに近接するように変位された場合でも、カバー本体２が平面状に伸ばされた状態では互いに重畳しない長さに構成されている。そして、第３滑沢性シート５は、第１滑沢性シート３の変位可能な範囲と第２滑沢性シート４の変位可能な範囲との間のカバー本体２上に取り付けられている。
【００２８】
第３滑沢性シート５は裏地３３，４３と同様の生地からなる矩形の布によって構成されている。この第３滑沢性シート５は、一般的な横シーツと同様の大きさを有しており、当該第３滑沢性シート５の前後左右端縁に沿って一周する縫い目５８によりカバー本体２に縫い付けられている。この第３滑沢性シート５はカバー本体２よりも滑りやすい（すなわち、利用者９０又はその利用者９０の衣服に対する摩擦係数が小さい）生地であるが、図２（Ａ）に白抜きの矢印Ｃ，Ｄで示すように、左右方向に比べて前後方向の方が摩擦係数が小さく滑りにくいように構成されている。
【００２９】
［第１実施形態の使用例及び効果］
このように構成されたマットレス用カバー１は、図３に示すようなマットレス５０の長手方向両端に、袋２１，２２を被せる（すなわち嵌合させる）ことによって使用される。なお、第１滑沢性シート３が設けられた側の袋２１は、マットレス５０における利用者９０の頭部が配設される側の端部に被せられる。図３に示すように、マットレス５０は、長方形のシート状に構成された略合同形状の第１弾性フォーム５１，第２弾性フォーム５３を積層して接合することによって構成されている。
【００３０】
このようにしてマットレス用カバー１が装着されたマットレス５０は、図４に示すように背上げベッド６０に装着される。この背上げベッド６０は、図５に示すような可動のボトム７０を備えている。図５に示すように、ボトム７０は、５つの支持部７３Ａ〜７３Ｅを、利用者９０の頭頂側から順次備えている。支持部７３Ａ，７３Ｂ（可動部の一例）は、背上げベッド６０の左右方向に延びる回動軸７０Ａを中心に一体に回動する。この回動によって支持部７３Ａ，７３Ｂが上方に傾斜するとき、マットレス５０は左右方向に延びる仮想の軸５０Ａを中心に折れ曲がり、その上に横たわる利用者９０の上半身を起こす。また、このとき、利用者９０の下半身側に配設された支持部７３Ｃ，７３Ｄ，７３Ｅは、利用者９０の膝を上げるように動作する。なお、このようなボトム７０の動作機構は、周知であるのでここでは詳述しない。
【００３１】
また、マットレス用カバー１が装着されたマットレス５０がこのように背上げベッド６０に装着された場合、マットレス用カバー１の左右方向は回動軸７０Ａと平行に配設される。そして、その場合、第３滑沢性シート５は回動軸７０Ａの上方に配設される。
【００３２】
ここで、背上げベッド６０の支持部７３Ａ，７３Ｂが傾斜する場合、利用者９０の頭頂部位置９１が傾斜前と同様にボトム７０の前端７０Ｂより若干後方にあり、利用者９０の肩甲骨位置９２が傾斜前と同様の位置７０Ｃにあるとする。また、このとき、利用者９０の骨盤９３における股関節９５は、マットレス５０の軸５０Ａ上にあるとする。すると、その場合、マットレス５０が折れ曲がる内側に利用者９０が配設されているために、支持部７３Ａ，７３Ｂの傾斜に伴って、図５に矢印Ｑで示すような下半身方向の圧迫力が利用者９０に加わる。すると、利用者９０の背骨９７が曲がってしまう。
【００３３】
このような力が利用者９０に作用しようとした場合、第１滑沢性シート３における利用者９０と接触している部分は図４に矢印Ｌで示すように前後方向に円滑に滑って変位することができるので、利用者９０の上半身は図６に矢印Ｓで示すように上方へずれる。このため利用者９０に前述のように作用しようとする力が軽減され、背骨９７等に負担がかかるのを抑制することができる。また、第２滑沢性シート４も、利用者９０と接触している部分が、図４に矢印Ｍで示すように前後方向に円滑に滑って変位することができる。このため、前記傾斜に伴って利用者９０の下半身に作用しようとする力（例えば、図５に矢印Ｒで示す力）も軽減され、利用者９０の下半身に負担がかかるのも抑制することができる。すなわち、本実施形態に係るマットレス用カバー１では、利用者９０の上半身に作用しようする力と下半身に作用しようとする力とを個別に独立して軽減することができる。
【００３４】
また、裏地３３，４３の摩擦係数は前後方向に比べて左右方向（すなわち、回動軸７０Ａに沿った方向）の方が大きい。このため、支持部７３Ａ，７３Ｂが傾斜して利用者９０の上半身を起こす際に、利用者９０の上半身又は下半身が左右方向にずれるのを抑制することができ、その結果、利用者９０の姿勢が崩れるのを抑制することができる。
【００３５】
特に、第１滑沢性シート３は、前後方向の位置が異なる２箇所、すなわち、第１縫い目３５と第２縫い目３７とで、カバー本体２に縫い付けられている。このため、第１滑沢性シート３は左右方向の変位が抑制される。従って、支持部７３Ａ，７３Ｂが傾斜して利用者９０の上半身を起こす際に、利用者９０の上半身が左右方向にずれるのを一層良好に抑制することができ、その結果、利用者９０の姿勢が崩れるのを一層良好に抑制することができる。なお、２つ折りにされた第１滑沢性シート３が前後方向両端でカバー本体２に縫い付けられていると、図６に矢印Ｓで示したように上半身を前後にずらす効果が生じにくくなる場合があるが、本実施形態では、第１縫い目３５と第２縫い目３７との間隔が、第１滑沢性シート３が構成する環の周方向長さの半分未満である。このため、先に述べた上半身をずらす効果を維持しつつ、前述のように姿勢の崩れを抑制することができる。
【００３６】
さらに、第１滑沢性シート３は、カバー本体２の左右方向中心に配設され、その左右方向の長さはカバー本体２の左右方向の長さよりも小さい。このため、利用者９０の姿勢が崩れかけたとしても、当該利用者９０の上半身が、第１滑沢性シート３の左右いずれかの側に露出したカバー本体２に接触する。従って、利用者９０の上半身とカバー本体２との摩擦抵抗により、利用者９０の上半身が左右方向にずれるのが抑制され、利用者９０の姿勢が崩れるのを一層良好に抑制することができる。
【００３７】
なお、第１滑沢性シート３の左右方向の長さが小さすぎると、図６に矢印Ｓで示したように上半身をずらす効果が生じにくくなる場合があるが、本実施形態では、第１滑沢性シート３の左右方向の長さは５５ｃｍ〜６５ｃｍとされている。この長さは、一般的な日本人（標準的な利用者の一例）の肩幅以上の長さであるので、利用者９０は左右の肩甲骨を第１滑沢性シート３の上に容易に載せることができる。このため、先に述べた上半身をずらす効果を維持しつつ、前述のように姿勢の崩れを抑制することができる。
【００３８】
また、第２滑沢性シート４は、マットレス５０の足元側端部上に配設される第３縫い目４５でカバー本体２に取り付けられている。このため、利用者９０が脚を動かすことができる場合、第２滑沢性シートを跳ね上げたり第２滑沢性シートの下に脚を挿入したりして、カバー本体２に脚を直接当接させることが可能となる。その場合、利用者９０は、自身の脚の力で、体を動かしたり踏ん張ったりすることが容易になる。また、一般的に、利用者９０の上半身に比べて下半身の方が動き（すなわち運動量）が大きい。このため、床ずれ等を抑制するためには、このように第２滑沢性シート４が１本の第３縫い目４５でカバー本体２に縫い付けられ、当該第２滑沢性シート４の方が移動の自由度が大きいことが望ましい場合がある。また、病院等においては、この第２滑沢性シート４を最初から跳ね上げておくか療養者（利用者９０）の下半身の下に敷くかを、療養者毎に設定することができる。
【００３９】
第３滑沢性シート５は、摩擦係数が小さく、その上に利用者９０の臀部又は腰部が載る。このため、マットレス用カバー１をマットレス５０に装着した場合、次のような効果が生じる。介護者等が利用者９０の臀部又は腰部を左右方向にずらすのが容易となる。また、利用者９０が臀部又は腰部を移動させやすくなるので床ずれも抑制することができる。また、第３滑沢性シート５の摩擦係数は、左右方向に比べて前後方向の方が大きい。このため、第３滑沢性シート５の上に乗せられた利用者９０の臀部又は腰部は、左右方向の移動に比べて前後方向の移動が抑制される。支持部７３Ａ，７３Ｂが傾斜して利用者９０の上半身を起こしたときに、臀部及び腰部が前後方向に移動すると利用者９０の姿勢が崩れる場合があるが、このように臀部及び腰部の前後方向の移動が抑制されると、利用者９０の姿勢が崩れるのを抑制することができる。
【００４０】
［第２実施形態の構成］
次に、図７は、本発明が適用された第２実施形態のマットレス用カバー１０１の構成を表す斜視図である。図７に示すように、本実施形態のマットレス用カバー１０１は、第１実施形態のような袋２１，２２を有さない長方形のシート状に構成されたカバー本体１０２と、そのカバー本体１０２に取り付けられた第１滑沢性シート１０３及び第２滑沢性シート１０４とを備えている。第１滑沢性シート１０３及び第２滑沢性シート１０４は、第１実施形態における第１滑沢性シート３及び第２滑沢性シート４と同様の表地及び裏地を縫合した帯状に構成され、両端を接合されている。これにより、第１滑沢性シート１０３及び第２滑沢性シート１０４は、左右方向に延びる直線を一周する閉じた環状に構成される。また、第１滑沢性シート１０３及び第２滑沢性シート１０４の左右方向の長さは、カバー本体１０２の左右方向の長さと同じである。
【００４１】
第１滑沢性シート１０３は、第１縫い目１３５と第２縫い目１３７とによってカバー本体１０２に縫い付けられている。第２滑沢性シート１０４は、第３縫い目１４５と第４縫い目１４７とによってカバー本体１０２に縫い付けられている。なお、第１縫い目１３５、第２縫い目１３７、第３縫い目１４５、及び、第４縫い目１４７は、いずれも左右方向に延びる縫い目である。
【００４２】
第１縫い目１３５と第２縫い目１３７とは、回動軸７０Ａ上に配設される屈曲位置よりも利用者９０の頭頂側（前方）に配設され、両者の間隔は第１滑沢性シート１０３が形成する環の周方向長さの半分未満である。第１逢い目１３５と第２逢い目１３７との間で、カバー本体１０２とそれに接する第１滑沢性シート１０３とは、前後方向に同じ長さを有する。このため、第１滑沢性シート１０３は、カバー本体１０２と接しない側に弛みを有する。第３縫い目１４５と第４縫い目１４７とは、回動軸７０Ａ上に配設される屈曲位置よりも利用者９０の足元側（後方）に配設され、両者の間隔は第２滑沢性シート１０４が形成する環の周方向長さの半分未満である。第３逢い目１４５と第４逢い目１４７との間で、カバー本体１０２とそれに接する第２滑沢性シート１０４とは、前後方向に同じ長さを有する。このため、第２滑沢性シート１０４は、カバー本体１０２と接しない側に弛みを有する。また、本実施形態では、第１滑沢性シート１０３の前記弛みと第２滑沢性シート１０４の前記弛みとが重なり合うことができるように、第１縫い目１３５〜第４縫い目１４７が配置されている。
【００４３】
本実施形態で使用されるマットレス５０は、長方形のシート状に構成された第１弾性フォーム５１，第２弾性フォーム５３を積層した構成に加え、四隅の角部に、図８に示すように斜めに掛け渡されたゴムバンド５５を備えている。なお、各ゴムバンド５５の両端は、第１弾性フォーム５１及び第２弾性フォーム５３の接合面に挟み込まれている。このため、各ゴムバンド５５は、図８に示すように第１弾性フォーム５１の表面に掛け渡すことも、図９に示すように第２弾性フォーム５３の表面に掛け渡すことも可能である。
【００４４】
そして、これらのゴムバンド５５と、そのゴムバンド５５が表面に掛け渡された第１弾性フォーム５１又は第２弾性フォーム５３との間には、カバー本体１０２の前端１２１又は後端１２２を挟み込むことができる。例えば、図９に示すように、第２弾性フォーム５３の表面にゴムバンド５５が掛け渡された場合、カバー本体２の前端１２１（又は後端１２２）を、１回折り返して第２弾性フォーム５３とゴムバンド５５との間に挟み込むことにより、その前端１２１（又は後端１２２）をマットレス５０に良好に保持させることができる。このようにして、カバー本体１０２の四隅を４つのゴムバンド５５によって保持させることにより、マットレス用カバー１０１をマットレス５０に装着することができる。
【００４５】
なお、マットレス用カバー１０１がマットレス５０に装着される際、第１滑沢性シート１０３及び第２滑沢性シート１０４が表面側（マットレス５０とは反対側）に配設されるようにマットレス用カバー１０１が装着されることはいうまでもない。このようにしてマットレス用カバー１０１が装着されたマットレス５０は、図１０に示すように、前述の背上げベッド６０に装着される。すると、第１滑沢性シート１０３及び第２滑沢性シート１０４は、弛みの部分が図１０に矢印Ｖ，Ｗで示すように移動可能になり、第１実施形態と同様に、利用者９０の上半身に作用しようする力と下半身に作用しようとする力とを個別に独立して軽減することができる。
【００４６】
［他の実施形態］
なお、本発明は前記各実施形態に何ら限定されるものではなく、本発明の要旨を逸脱しない範囲で種々の形態で実施することができる。例えば、各部を構成する素材（生地）は、前記実施形態で使用された素材に限定されるものではなく、種々の素材を使用することができる。但し、カバー本体２（又は１０２）、並びに、第１滑沢性シート３（又は１０３）及び第２滑沢性シート４（又は１０４）の表地は、身体が接触する面であるため、吸湿発散性に優れた接触感のよい生地を使用するのが望ましい。また、第１滑沢性シート３（又は１０３）及び第２滑沢性シート４（又は１０４）の裏地は、滑り易い生地を使用するのが望ましい。そして、その場合、図２（Ａ）に白抜きの矢印Ａ〜Ｆで示したような摩擦係数の方向による相違はなくてもよい。例えば、第１滑沢性シート３（又は１０３）及び第２滑沢性シート４（又は１０４）の裏地は、床ずれ防止のためには各方向に摩擦係数が小さい方がよい場合もある。
【００４７】
また、カバー本体２（又は１０２）は、特許文献１に記載のように、マットレスの外周面及び下面周辺部を覆うマチ部と、そのマチ部の端縁に設けられて当該カバー本体を着脱自在に保持するゴム紐と、を備えてもよい。また、第１実施形態における第１滑沢性シート３及び第２滑沢性シート４及び第３滑沢性シート５が、第２実施形態におけるカバー本体１０２に縫い付けられてもよい。第２実施形態における第１滑沢性シート１０３及び第２滑沢性シート１０４が第１実施形態におけるカバー本体２に縫い付けられてもよい。
【００４８】
また、第１滑沢性シート３若しくは１０３、又は、第２滑沢性シート４若しくは１０４、又は第３滑沢性シート５は、必ずしもカバー本体２又は１０２に縫い付けられなくてもよく、これらの取付方法は種々に変更することができる。他の取付方法としては、接着、溶着、ホック又は面ファスナを利用した取付方法等が考えられる。ホック又は面ファスナを利用して取付がなされる場合、利用者９０の状態に応じて、第１滑沢性シート３若しくは１０３、又は、第２滑沢性シート４若しくは１０４の取付状態（取付位置の数）を容易に変更することができる。第１実施形態における第２滑沢性シート４は、体を動かすことが極めて困難な利用者９０に対しては第１滑沢性シート３と同様に２つの取付位置で取り付けられた方が好ましい場合がある。逆に、第１滑沢性シート３（又は１０３）が、カバー本体２（又は１０２）に１つの取付位置で取り付けられてもよい。
【００４９】
図１１は、第１実施形態のマットレス用カバー１において、第１滑沢性シート３及び第２滑沢性シート４を第１縫い目３５〜第３縫い目４５によってカバー本体２に縫い付けるのではなく、面ファスナ５９を介してカバー本体２に被着した例を表している。
【００５０】
この場合も、第１滑沢性シート３は、第１縫い目３５により両端が縫い付けられ、左右方向に延びる直線を一周する閉じた環状に構成される。また、第２滑沢性シート４は、第３縫い目４５により両端が縫い付けられ、左右方向に延びる直線を一周する閉じた環状に構成される。但し、第１滑沢性シート３とカバー本体２とは、第１縫い目３５近傍で互いに対向する位置にそれぞれ貼着された面ファスナ５９，５９を介して、着脱可能に接続される。同様に、第２滑沢性シート４とカバー本体２とは、第３縫い目４５近傍で互いに対向する位置にそれぞれ貼着された面ファスナ５９，５９を介して、着脱可能に接続される。この場合、第１滑沢性シート３及び第２滑沢性シート４をカバー本体２から取り外して洗濯することが容易になる。
【００５１】
また、本発明における第１滑沢性シートの形態は第１滑沢性シート３又は１０３と同様の形態に限定されるものではなく、第２滑沢性シートの形態も第２滑沢性シート４又は１０４と同様の形態に限定されるものではない。例えば、第１滑沢性シート及び第２滑沢性シートのいずれか一方又は両方は、環を構成せず、帯の両端を弛みを持たせてカバー本体に縫い付けた構成であってもよい。
【００５２】
第１実施形態における第３滑沢性シート５は、省略されてもよい。また、第３滑沢性シート５は、カバー本体２の上に載置される横シーツの表面に縫い付けられてもよい。さらに、横シーツに第３滑沢性シート５を縫い付け、その第３滑沢性シート５がカバー本体２と対向するように、当該横シーツが敷設されてもよい。その場合、当該横シーツは、利用者９０の臀部又は腰部と一体に、カバー本体２の上面を滑って変位する。また、このように第３滑沢性シート５が横シーツに縫い付けられた場合、当該横シーツが、第１実施形態における第３滑沢性シート５の上に、第３滑沢性シート５同士が対向するように敷設されてもよい。
【符号の説明】
【００５３】
１，１０１…マットレス用カバー                    ２，１０２…カバー本体
３，１０３…第１滑沢性シート                      ４，１０４…第２滑沢性シート
５…第３滑沢性シート                              ２１，２２…袋
３１，４１…表地                                  ３３，４３…裏地
３５，１３５…第１縫い目                          ３７，１３７…第２縫い目
４５，１４５…第３縫い目                          ５０…マットレス
５０Ａ…軸                                        ６０…背上げベッド
７０…ボトム                                      ７０Ａ…回動軸
７３Ａ，７３Ｂ，７３Ｃ，７３Ｄ，７３Ｅ…支持部    ９０…利用者
【図１】
2016154734.tif 000003
【図２】
2016154734.tif 000004
【図３】
2016154734.tif 000005
【図４】
2016154734.tif 000006
【図５】
2016154734.tif 000007
【図６】
2016154734.tif 000008
【図７】
2016154734.tif 000009
【図８】
2016154734.tif 000010
【図９】
2016154734.tif 000011
【図１０】
2016154734.tif 000012
【図１１】
2016154734.tif 000013